(57)【要約】【課題】移動中でもテレビジョンチャンネルを迅速に獲得できる無線信号受信システムと無線信号探索方法を供する。【解決手段】本システムは衛星受信機、照合テーブル、および無線信号受信機を含む。衛星受信機は衛星信号を受信し、それに基づいて位置情報を提供する。照合テーブルは位置情報と対応する無線信号の周波数との関係を記録する。無線受信機は、照合テーブルを検索して位置情報に対応する周波数を見出すプロセッサーを含み、これによって無線信号機は無線信号を受信することが出来る。【選択図】図２
2006352840.tif 000002
【特許請求の範囲】
【請求項１】
位置情報を含む衛星位置信号を受信する衛星受信機、
前記位置情報に対応する周波数を記録する照合テーブル、および
前記照合テーブルを検索して前記位置情報に対応する周波数を得るプロセッサーを含み、
当該得た周波数に応じた無線信号を受信する無線受信機
を備える無線信号受信システム。
【請求項２】
前記無線受信機がテレビジョン受信機である請求項１記載のシステム。
【請求項３】
前記テレビジョン受信機がデジタルテレビジョン信号を受信する請求項２記載のシステム。  
【請求項４】
前記テレビジョン信号がＡＴＳＣ信号である請求項３記載のシステム。
【請求項５】
前記テレビジョン信号がＤＶＢ信号である請求項３記載のシステム。
【請求項６】
前記システムがセットトップボックスに実装される請求項１記載のシステム。
【請求項７】
前記システムがモバイル機材に実装される請求項１記載のシステム。
【請求項８】
前記モバイル機材が交通手段搭載用、ラップトップ型、あるいは手持ちサイズの電子装置である請求項７記載のシステム。
【請求項９】
前記衛星位置信号がＧＰＳ信号である請求項１記載のシステム。
【請求項１０】
前記衛星位置信号がガリレオシステム信号である請求項１記載のシステム。
【請求項１１】
位置情報が変化したときに前記プロセッサーが前記照合テーブルを検索する請求項１記載のシステム。
【請求項１２】
前記位置情報が緯度と軽度を含む請求項１記載のシステム。
【請求項１３】
現在位置を提供するステップ、
前記現在地に対応する周波数を記録する照合テーブルを準備するステップ、
前記照合テーブルを検索して前記現在地に対応する周波数を得るステップを含む無線信号探索方法。
【請求項１４】
前記無線信号がテレビジョン信号である請求項１３記載の方法。
【請求項１５】
前記テレビジョン信号がデジタルテレビジョン信号である請求項１４記載の方法。
【請求項１６】
前記現在置を提供するステップは、衛星受信機による衛星位置システム信号の受信を含む請求項１３記載の方法。
【請求項１７】
前記衛星位置システムがＧＰＳである請求項１６記載の方法。
【請求項１８】
前記衛星位置システムがガリレオシステムである請求項１７記載の方法。
【発明の詳細な説明】
【技術分野】
【０００１】
本発明は無線通信に関し、より詳細にはテレビジョン信号を受信する方法に関するものである。
【背景技術】
【０００２】
従来のデジタルテレビジョン（ＤＴＶ）受信機は、テレビ信号の載った周波数である有効周波数（active frequencies）を見出すべく全周波数帯域を走査しなければならならず、モバイルユーザーにとっては不便である。位置が移動したときには、有効周波数を見つけるために全周波数帯域を再走査しなければならない。図１は、周波数ａにより番組Ａが、周波数ｂにより番組Ｂが送られるといったように、異なる放送域の例を示したものである。ｘの位置ではチャンネルＡ、Ｂ、Ｄの受信が可能であり、一方ｙの位置ではＢ、Ｃ、Ｅのチャンネルの受信が可能である。仮に位置がｘからｙに移動しており、かつチャンネルＢに合わせていた場合、チャンネルBの受信に支障はない。しかしながら、ｘからｙに移動中にチャンネルＡに合わせていた場合には、途中で受信は遮られてしまい、そのため、テレビ受信機を再設定して別のチャンネルを探すべく全周波数帯域を走査することが必要となる。従来の走査技術では全周波数帯域を再走査するのには数分かかってしまう。
【発明の開示】
【発明が解決しようとする課題】
【０００３】
それゆえ、本発明の目的は、移動中でもＴＶのチャンネルを迅速に再取得できるシステムと方法を提供することにある。
【課題を解決するための手段】
【０００４】
本システムは衛星受信機、照合テーブル、および無線受信機を備える。衛星受信機は位置情報を含む衛星位置信号を受信する。照合テーブルは、位置情報に対応するプリセット周波数(pre-set frequency)を記録する。無線受信機は位置情報に従って照合テーブルを検索し周波数を得てからそれに合わせる。
また、周波数探索方法は、現在地を提供するステップ、現在地に対応するプリセット周波数を記録した照合テーブルを提供するステップ、および照合テーブルを検索して現在地に対応する周波数を得るステップを含む。
【発明の効果】
【０００５】
本発明に係わる無線受信システムと無線信号検索方法によれば、移動中でも再走査を行うことなく迅速にその地点に合致した周波数に合わせることができる。よって本発明は自動車や携帯電話、ラップトップなどモバイル機材に適用され得る。
【発明を実施するための最良の形態】
【０００６】
実施の形態１．
図２は本発明の実施形態による無線受信システム２０の構成図である。無線受信システム２０は衛星受信機２２、照合テーブル２４、および無線受信機としてテレビジョン受信機２６を備えている。衛星受信機２２は位置情報を含む衛星位置信号を受信する。本発明の一実施形態において、衛星信号はＧＰＳ信号である。衛星位置信号は、また、ガリレオシステム（Galileo System）信号でもある。照合テーブル２４は位置および対応する有効周波数(active frequency)をリストアップする。テレビジョン受信機２６はプロセッサー２６２を含む。プロセッサー２６２は衛星受信機２２から提供された位置情報に従って照合テーブル２４を検索する。プロセッサー２６２は有効周波数を選択し、テレビジョン受信機はそこに合わせられる。本発明の無線受信システムは、さらに、オーディオやテキスト信号を含む他の型式の無線受信にも適用可能である。
【０００７】
表１は本発明の一実施形態による照合テーブルの一部を示すものである。照合テーブルは緯度と経度を含む位置情報とその位置にて使用可能な周波数との関係を記録する少なくとも二つのコラムを含む。
【表１】
2006352840.tif 000003
場所が変わるときにプロセッサー２６２は照合テーブル２４を再検索する。例えば、位置ｘを通るとき周波数５５ｋＨｚを合わせてあったとすると、位置ｙへと移動したときに、プロセッサー２６２は照合テーブル２４を再検索し、テレビジョン受信機２６に有効周波数を再取得する。
【０００８】
無線受信システム２０は、ＡＴＳＣ(Advanced Television Systems Committee)、ＤＶＢ(Digital Video Broadcasting)、およびＩＳＤＢ−Ｔ(Integrated Services Digital Broadcasting)等を含むテレビジョン信号を受信することが出来る。
無線受信システム２０は、さらに、セットトップボックスや自動車に取り付けたり、あるいはラップトップ、PDA、移動電話などのモバイル機材に実装することが出来る。
【０００９】
図３は本発明の実施形態による無線信号探索方法のフローチャートである。最初にステップ３２において、衛星受信機が現在地に関する位置情報を提供し、ステップＳ３４において、照合テーブルが対応する周波数と位置を記録する。ステップＳ３６において、プロセッサーが照合テーブルを検索し現在地に合った周波数を検出する。最後にステップＳ３８において、周波数に対応した無線信号を受信する。本方法は音声やテキスト信号を含む無線通信にも適用される。そのうえ、本方法はＡＴＳＣ、ＤＶＢおよびＩＳＤＢ−Ｔ等を含むデジタルテレビジョン信号をも受信することが出来る。
【００１０】
以上、好適な実施例を挙げて説明したが、本発明はこれらの実施例に限定されないと解すべきであり、つまり本発明は、（当該業者であれば自明であるような）各種変更および類似の構成をカバーするものである。上に掲げた実施例は、本発明の原理を説明するための最良の態様を提示すべく選択し記載したものである。即ち、添付の特許請求の範囲は、かかる各種変更および類似な改良が全て包括されるように、最も広い意味に解釈されるべきである。
【図面の簡単な説明】
【００１１】
【図１】テレビジョン放送域の例を示す。
【図２】本発明の実施形態による無線受信システムの構成図である。
【図３】本発明の実施形態による無線信号探索方法のフローチャートである。
【符号の説明】
【００１２】
２０      無線受信システム
２２      衛星受信機
２４      照合テーブル
２６      テレビジョン受信機
２６２    プロセッサー
【図１】
2006352840.tif 000004
【図２】
2006352840.tif 000005
【図３】
2006352840.tif 000006